(57)【要約】【課題】  固定された受けプレートに対して接離する方向に移動自在に積層した３枚のプッシャプレートを必要に応じて移動させて入出金口に対向する空間を調整することで装置本体を小型化した紙幣処理装置を提供する。【解決手段】  紙幣処理装置１は、紙幣の投入時には受けプレート１１と第１のプッシャプレート１２とで区切られた紙幣投入空間を入出金口２に対向させ、またリジェクト紙幣の返却時には第１のプッシャプレート１２と第２のプッシャプレート１３とで区切られたリジェクト紙幣収納空間を入出金口２に対向させ、さらに入金取引が途中で中止されたときには、受入紙幣を収納している第２のプッシャプレート１３と第３のプッシャプレート１４とで区切られた一時保留空間を入出金口２に対向させることができる。【選択図】  図１
2005352912.tif 000002
【特許請求の範囲】
【請求項１】
装置本体に対して紙幣を出し入れする入出金口の内側に、その一方の端部がこの入出金口の１つの辺に沿うように立設した受けプレートと、この受けプレートに対して、第１のプッシャプレート、第２のプッシャプレート、および第３のプッシャプレートをこの順に移動自在に積層し、これらのプレートで区切った３つの紙幣収納空間を有する紙幣収納部と、
入金取引時に、前記受けプレートと前記第１のプッシャプレートとで区切られた第１の紙幣収納空間を前記入出金口に対向させ、この第１の紙幣収納空間に対する紙幣の投入を受け付ける入金紙幣受付手段と、
前記第１の紙幣収納空間に投入された紙幣を１枚ずつ繰り出す入金紙幣繰出手段と、
前記入金紙幣繰出手段が繰り出した紙幣毎に、受入可能紙幣であるかどうかを鑑別する鑑別手段と、
前記鑑別手段により受入可能紙幣でないと鑑別されたリジェクト紙幣を前記第１のプッシャプレートと前記第２のプッシャプレートとで区切られた第２の紙幣収納空間に搬送し、収納するリジェクト手段と、
前記鑑別手段により受入可能紙幣であると鑑別された受入紙幣を前記第２のプッシャプレートと前記第３のプッシャプレートとで区切られた第３の紙幣収納空間に搬送し、収納する一時保留手段と、
前記第１のプッシャプレートと前記第２のプッシャプレートとで区切られた第２の紙幣収納空間を前記入出金口に対向させて、この第２の紙幣収納空間に収納されているリジェクト紙幣の取出を許可するリジェクト手段と、
入金取引の確定後に、前記第２のプッシャプレートと前記第３のプッシャプレートとで区切られた第３の紙幣収納空間に収納されている紙幣を１枚ずつ繰り出し、該当する金種のカートリッジへ搬送し収納する受入紙幣収納手段と、を備えた紙幣処理装置。
【請求項２】
入金取引の中止にかかる入力があったとき、前記第２のプッシャプレートと前記第３のプッシャプレートとで区切られた第３の紙幣収納空間を前記入出金口に対向させて、この第３の紙幣収納空間に収納されている受入紙幣の取出を許可する返却手段を備えた請求項１に記載の紙幣処理装置。
【請求項３】
出金取引時に、入力された出金金額に応じて前記カートリッジから繰り出した出金紙幣を、前記第２のプッシャプレートと前記第３のプッシャプレートとで区切られた第３の紙幣収納空間に搬送し収納する出金紙幣収納手段と、
前記第２のプッシャプレートと前記第３のプッシャプレートとで区切られた第３の紙幣収納空間を前記入出金口に対向させて、この第３の紙幣収納空間に収納されている出金紙幣の取出を許可する出金手段と、を備えた請求項１または２に記載の紙幣処理装置。
【請求項４】
前記入金紙幣繰出手段は、前記第１のプッシャプレートを前記受けプレート側に移動し、前記第１の紙幣収納空間に収納されている紙幣を前記受けプレート側に設けた第１の繰出ローラに押圧し、この第１の繰出ローラを回転させて前記第１の紙幣収納空間に収納されている紙幣を１枚ずつ繰り出す請求項１〜３のいずれかに記載の紙幣処理装置。
【請求項５】
前記受入紙幣収納手段は、前記第２のプッシャプレートを前記第３のプッシャプレート側に移動し、前記第３の紙幣収納空間に収納されている紙幣を前記第３のプッシャプレート側に設けた第２の繰出ローラに押圧し、この第２の繰出ローラを回転させて前記第３の紙幣収納空間に収納されている受入紙幣を１枚ずつ繰り出す請求項１〜４のいずれかに記載の紙幣処理装置。
【請求項６】
前記第１のプッシャプレートを前記受けプレートに対して接離する方向に移動する第１の駆動手段と、
前記第２のプッシャプレートを前記受けプレートに対して接離する方向に移動する第２の駆動手段と、を備え、
前記第３のプッシャプレートは、前記第２のプッシャプレートに接離する方向に延びる長穴で、この第２のプッシャプレートに連結され、且つ前記第２のプッシャプレートから離れる方向に付勢されている請求項１〜５のいずれかに記載の紙幣処理装置。
【発明の詳細な説明】
【技術分野】
【０００１】
この発明は、本体に投入された紙幣を受け付ける入金取引や、本体に収納している紙幣を放出する出金取引を行う紙幣処理装置に関する。
【背景技術】
【０００２】
従来、入金取引や出金取引を行うＡＴＭやＣＤ等の紙幣処理装置が金融機関やコンビニエンスストア等の店舗に設置されている。従来の紙幣処理装置には、入出金口の内側に入金取引や出金取引にかかる紙幣（入出金紙幣）を収納する入出金紙幣収納空間が形成されている。また、入出金紙幣収納空間に収納されている紙幣を１枚ずつ分離して搬送路に繰り出す分離繰出機構や、搬送路を搬送されてきた紙幣を入出金紙幣収納空間に集積するスタック機構が設けられている。入出金口には、シャッタが設けられている。
【０００３】
従来の紙幣処理装置は、入金取引時、シャッタを開して、入出金紙幣収納空間に紙幣が投入されるのを待つ。紙幣処理装置は、紙幣が入出金紙幣収納空間に投入されると、シャッタを閉し、入出金紙幣収納空間に投入された紙幣を１枚ずつ分離して繰り出し、鑑別部に搬送する。鑑別部は、搬送されてきた紙幣毎に受入可能紙幣であるかどうかの鑑別を行う。受入可能紙幣とは、真券であり、且つ装置本体で取り扱っている金種の紙幣である。例えば、真券であると鑑別されても、取り扱っていない金種の紙幣であれば受入可能紙幣でないと鑑別する。紙幣処理装置は、受入可能紙幣であると鑑別された紙幣（以下、受入紙幣と言う。）を一時保留部に搬送して収納し、反対に受入可能紙幣でないと鑑別された紙幣（以下、リジェクト紙幣と言う。）を前記一時保留部とは別に設けたリジェクト紙幣保留部に搬送して収納する。紙幣処理装置は、入出金紙幣収納空間に今回投入された全ての紙幣を鑑別すると、リジェクト紙幣保留部に収納しているリジェクト紙幣を１枚ずつ繰り出し、入出金紙幣収納空間に搬送し収納する。リジェクト紙幣を入出金紙幣収納空間に全て収納すると、再度シャッタを開して、このリジェクト紙幣を利用者に返却する。リジェクト紙幣がなかった場合には、言い換えれば利用者に返却するリジェクト紙幣がない場合には、この処理は行われない。また、紙幣処理装置は入金金額（受入紙幣の合計金額）が利用者により確認されると、この入金金額の入金取引を処理する。このとき、一時保留部に保留している受入紙幣を１枚ずつ繰り出し、再度鑑別部に搬送し、紙幣の再鑑別を行う。そして、各紙幣をこの再鑑別で鑑別した金種に応じた入出金カートリッジに搬送し収納する。
【０００４】
なお、紙幣処理装置は、入金金額が利用者によって確認されることなく、入金取引の中止が入力された場合、一時保留部に保留している受入紙幣を１枚ずつ繰り出し、入出金紙幣収納空間に搬送し収納する。そして、シャッタを開して利用者が今回投入した全ての紙幣をこの利用者に返却する。一時保留部は、利用者が入金取引を途中で中止したときに、この利用者に対して今回投入された全ての紙幣を返却するために設けている。
【０００５】
また、従来の紙幣処理装置は、出金取引時、利用者により入力された出金金額に応じて、入出金カートリッジから紙幣を１枚ずつ繰り出し、鑑別できた紙幣（出金紙幣）を一時保留部、または入出金紙幣収納空間に搬送し収納する。反対に鑑別できなかった紙幣については回収カートリッジに収納する。一時保留部または入出金紙幣収納空間に出金金額に相当する出金紙幣を収納すると、入出金カートリッジからの紙幣の繰り出しを停止する。紙幣処理装置は、出金紙幣を一時保留部に収納している場合、一時保留部から出金紙幣を１枚ずつ繰り出して入出金紙幣収納空間に搬送して収納する。紙幣処理装置は、シャッタを開することで、利用者に対して入出金紙幣収納空間に収納している出金紙幣の取り出しを許可する。
【０００６】
なお、紙幣処理装置は、入金取引、および出金取引において、入出金紙幣収納空間に利用者が取り忘れた紙幣があれば、この取り忘れ紙幣を回収カートリッジに搬送して収納する。
【０００７】
このように、従来の紙幣処理装置は、装置本体に一時保留部、およびリジェクト紙幣保留部を設けており、装置本体が大型であった。一時保留部は、上述したように、入金取引が途中で中止された場合に、利用者が投入した全ての紙幣をこの利用者に返却するために必要である。また、リジェクト紙幣保留部は、受入可能紙幣でないと鑑別された紙幣を利用者に返却するために必要である。
【０００８】
そこで、入出金口に対向する入出金紙幣収納空間を入金紙幣を投入する投入紙幣空間と、リジェクト紙幣や出金紙幣を収納する放出紙幣空間とに分割し、装置を小型化することが特許文献１で提案されている。具体的には、入出金口に対向する入出金紙幣収納空間に中板を設け、この中板で入金紙幣を投入する投入紙幣空間と、リジェクト紙幣や出金紙幣を収納する放出紙幣空間とに分けることが提案されている。また、中板を移動することで、これらの空間の大きさを必要に応じて調整することが記載されている。この紙幣処理装置は、入金取引時にリジェクト紙幣を放出紙幣空間に直接搬送して収納することができ、装置本体にリジェクト紙幣収納部を設ける必要がないので、装置本体を小型にできる。
【特許文献１】特開２０００−９９７９５号公報
【発明の開示】
【発明が解決しようとする課題】
【０００９】
しかしながら、特許文献１で示されている紙幣処理装置は、入金取引時に受入可能紙幣であると鑑別した紙幣を、利用者が入金金額を確認するまで一時保留する一時保留部を入出金紙幣収納空間とは別に設ける必要がある。したがって、十分に装置本体が小型化されているとは言えなかった。
【００１０】
この発明の目的は、固定された受けプレートと、この受けプレートに対して接離する方向に移動自在に積層した３枚のプッシャプレートとで、入金取引時に入金紙幣を投入する投入空間、リジェクト紙幣を収納するリジェクト紙幣保留空間、および受付紙幣を一時保留する一時保留空間の３つの空間を分離形成し、３枚のプッシャプレートの移動制御により入出金口に対向する空間を調整することで装置本体を小型化した紙幣処理装置を提供することにある。
【００１１】
また、この発明は、３枚のプッシャプレートの移動を２つの駆動部で制御することにより、装置本体のコストを抑えた紙幣処理装置を提供することにある。
【課題を解決するための手段】
【００１２】
この発明の紙幣処理装置は、上記課題を解決するために以下の構成を備えている。
【００１３】
（１）装置本体に対して紙幣を出し入れする入出金口の内側に、その一方の端部がこの入出金口の１つの辺に沿うように立設した受けプレートと、この受けプレートに対して、第１のプッシャプレート、第２のプッシャプレート、および第３のプッシャプレートをこの順に移動自在に積層し、これらのプレートで区切った３つの紙幣収納空間を有する紙幣収納部と、
入金取引時に、前記受けプレートと前記第１のプッシャプレートとで区切られた第１の紙幣収納空間を前記入出金口に対向させ、この第１の紙幣収納空間に対する紙幣の投入を受け付ける入金紙幣受付手段と、
前記第１の紙幣収納空間に投入された紙幣を１枚ずつ繰り出す入金紙幣繰出手段と、
前記入金紙幣繰出手段が繰り出した紙幣毎に、受入可能紙幣であるかどうかを鑑別する鑑別手段と、
前記鑑別手段により受入可能紙幣でないと鑑別されたリジェクト紙幣を前記第１のプッシャプレートと前記第２のプッシャプレートとで区切られた第２の紙幣収納空間に搬送し、収納するリジェクト手段と、
前記鑑別手段により受入可能紙幣であると鑑別された受入紙幣を前記第２のプッシャプレートと前記第３のプッシャプレートとで区切られた第３の紙幣収納空間に搬送し、収納する一時保留手段と、
前記第１のプッシャプレートと前記第２のプッシャプレートとで区切られた第２の紙幣収納空間を前記入出金口に対向させて、この第２の紙幣収納空間に収納されているリジェクト紙幣の取出を許可するリジェクト手段と、
入金取引の確定後に、前記第２のプッシャプレートと前記第３のプッシャプレートとで区切られた第３の紙幣収納空間に収納されている紙幣を１枚ずつ繰り出し、該当する金種のカートリッジへ搬送し収納する受入紙幣収納手段と、を備えている。
【００１４】
この構成では、入出金口の内側に固定された受けプレート、およびこの受けプレートに対して接離する方向に移動自在に第１〜第３のプッシャプレートが積層されている。受けプレートは、その一方の端部がこの入出金口の１つの辺に沿うように立設されている。第１〜第３のプッシャプレートを移動し、これらのプッシャプレートの位置を調整することで入出金口に対向する空間を、受けプレートと第１のプッシャプレートとの間の第１の紙幣収納空間、第１のプッシャプレートと第２のプッシャプレートとの間の第２紙幣収納空間、第２のプッシャプレートと第３のプッシャプレートとの間の第３の紙幣収納空間のいずれかにできる。第１の紙幣収納空間は入金取引時における入金紙幣の投入空間として使用され、第２の紙幣収納空間は入金取引時におけるリジェクト紙幣を収納するリジェクト紙幣保留空間として使用され、第３の紙幣収納空間は入金取引時における受入紙幣の一時保留空間として使用される。
【００１５】
このように、受けプレートと第１〜第３のプッシャプレートとにより入金取引時における入金紙幣の投入空間、リジェクト紙幣を収納するリジェクト紙幣保留空間、および受入紙幣を収納する一時保留空間とする第１〜第３の紙幣収納空間を分割形成し、３枚のプッシャプレートを移動し、これらのプッシャプレートの位置を調整することにより、入出金口に対向する空間を調整することができるので、装置本体を小型にできる。
【００１６】
（２）入金取引の中止にかかる入力があったとき、前記第２のプッシャプレートと前記第３のプッシャプレートとで区切られた第３の紙幣収納空間を前記入出金口に対向させて、この第３の紙幣収納空間に収納されている受入紙幣の取出を許可する返却手段を備えている。
【００１７】
この構成では、入金取引が途中で中止され場合に、利用者に対して投入された紙幣をすべて返却することができる。
【００１８】
（３）出金取引時に、入力された出金金額に応じて前記カートリッジから繰り出した出金紙幣を、前記第２のプッシャプレートと前記第３のプッシャプレートとで区切られた第３の紙幣収納空間に搬送し収納する出金紙幣収納手段と、
前記第２のプッシャプレートと前記第３のプッシャプレートとで区切られた第３の紙幣収納空間を前記入出金口に対向させて、この第３の紙幣収納空間に収納されている出金紙幣の取出を許可する出金手段と、を備えている。
【００１９】
この構成では、出金取引時に、第３の紙幣収納空間が出金紙幣の収納空間として使用される。
【００２０】
（４）前記入金紙幣繰出手段は、前記第１のプッシャプレートを前記受けプレート側に移動し、前記第１の紙幣収納空間に収納されている紙幣を前記受けプレート側に設けた第１の繰出ローラに押圧し、この第１の繰出ローラを回転させて前記第１の紙幣収納空間に収納されている紙幣を１枚ずつ繰り出す。
【００２１】
この構成では、第１の紙幣収納空間に収納されている紙幣の繰出時に、第１のプッシャプレートを利用して、この第１の紙幣収納空間に収納されている紙幣を受けプレート側に設けた第１の繰出ローラに押圧する。これにより、第１の紙幣収納空間に収納されている紙幣を繰り出すための分離繰出機構にかかる構成を簡単にでき、装置本体のコストを抑えることができる。
【００２２】
（５）前記受入紙幣収納手段は、前記第２のプッシャプレートを前記第３のプッシャプレート側に移動し、前記第３の紙幣収納空間に収納されている紙幣を前記第３のプッシャプレート側に設けた第２の繰出ローラに押圧し、この第２の繰出ローラを回転させて前記第３の紙幣収納空間に収納されている受入紙幣を１枚ずつ繰り出す。
【００２３】
この構成では、第３の紙幣収納空間に収納されている紙幣の繰出時に、第２のプッシャプレートを利用して、この第３の紙幣収納空間に収納されている紙幣を第３のプッシャプレート側に設けた第２の繰出ローラに押圧する。これにより、第３の紙幣収納空間に収納されている紙幣を繰り出すための分離繰出機構にかかる構成を簡単にでき、装置本体のコストを抑えることができる。
【００２４】
（６）前記第１のプッシャプレートを前記受けプレートに対して接離する方向に移動する第１の駆動手段と、
前記第２のプッシャプレートを前記受けプレートに対して接離する方向に移動する第２の駆動手段と、を備え、
前記第３のプッシャプレートは、前記第２のプッシャプレートに接離する方向に延びる長穴で、この第２のプッシャプレートに連結され、且つ前記第２のプッシャプレートから離れる方向に付勢されている。
【００２５】
この構成では、第１の駆動手段により第１のプッシャプレートを受けプレート側に移動するとともに、第２の駆動手段により第２のプッシャプレートを第１のプッシャプレート側、言い換えれば受けプレート側に移動することで、第２のプッシャプレートと第３のプッシャプレートとで区切られた第３の紙幣収納空間を入出金口に対向させることができる。したがって、第３のプッシャプレートに対して駆動部を個別に設ける必要がなく、２つの駆動手段で第１〜第３の紙幣収納空間のいずれかを入出金口に対向させることができる。これにより、装置本体を一層小型にできるとともに、装置本体のコストを十分に抑えるられる。
【発明の効果】
【００２６】
この発明によれば、受けプレートと第１〜第３のプッシャプレートとにより入金取引時における入金紙幣の投入空間、リジェクト紙幣を収納するリジェクト紙幣保留空間、および受入紙幣を収納する一時保留空間とする第１〜第３の紙幣収納空間を分割形成し、３枚のプッシャプレートを移動し、これらのプッシャプレートの位置を調整することにより、入出金口に対向する空間を調整することができるので、装置本体を小型にできる。
【００２７】
また、２つの駆動手段で、第１〜第３の紙幣収納空間を入出金口に対向させることができるので、装置本体を一層小型にできるとともに、装置本体のコストを十分に抑えることができる。
【発明を実施するための最良の形態】
【００２８】
以下、この発明の実施形態である紙幣処理装置について説明する。
【００２９】
図１は、この発明の実施形態である紙幣処理装置の主要部の構成を示す概略断面図である。この実施形態の紙幣処理装置１は、入金取引、および出金取引が行える所謂ＡＴＭである。紙幣処理装置１には、本体正面に紙幣の入出金口２が形成されている。この入出金口２には、シャッタ２ａが設けられている。入出金口２に対向する装置本体の内側には、受けプレート１１、第１のプッシャプレート１２、第２のプッシャプレート１３、第３のプッシャプレート１４が、入出金口２の下端側からこの順に立設されている。受けプレート１１は、一方の端部を入出金口２の下端の辺に沿って立設している。この受けプレート１１は固定されている。一方、第１のプッシャプレート１２、第２のプッシャプレート１３、および第３のプッシャプレート１４は、受けプレート１１に対して接離する方向に移動時自在に取り付けている。
【００３０】
また、３は受けプレート１１と第１のプッシャプレート１２との間に収納されている紙幣を繰り出す繰出ローラを含む分離繰出機構であり、４は第１のプッシャプレート１２と第２のプッシャプレート１３との間に紙幣を送り収納する送りローラを含むスタック機構であり、さらに５は第２のプッシャプレート１３と第３のプッシャプレート１４との間に収納されている紙幣の繰り出す繰出ローラ、およびこの間に紙幣を送り込む送りローラを含む分離繰出／スタック機構である。第１のプッシャプレート１２の一方の端部が入出金口２の上端の辺に沿って立設し、第２のプッシャプレート１３が第１のプッシャプレート１２に当接し、第３のプッシャプレート１４が第２のプッシャプレート１３から入出金口２と略同じ幅だけ離れた位置に立設している状態を初期状態（第１〜第３のプッシャプレートが１２〜１４が初期位置にある状態）と呼ぶ。
【００３１】
なお、詳細については後述するが、第２のプッシャプレート１３と、第３のプッシャプレート１４との間隔は、最大で入出金口２の幅と略同じである。
【００３２】
スタック機構４は、第２のプッシャプレート１３が初期位置にあるとき、第１のプッシャプレート１２と第２のプッシャプレート１３との間に紙幣を送り込むことができる。また、分離繰出／スタック機構５は、第３のプッシャプレート１４が初期位置にあるとき、第２のプッシャプレート１３と第３のプッシャプレート１４との間に紙幣が送り込むことができ、またこの第３のプッシャプレート１４に当接している紙幣を１枚ずつ繰り出すことができる。
【００３３】
受けプレート１１は、分離繰出機構３の繰出ローラが対向する位置に切欠を形成しており、受けプレート１１と第１のプッシャプレート１２との間の紙幣収納空間に収納されている紙幣がこの繰出ローラに当接する構成である。また、第１のプッシャプレート１２にも、分離繰出機構３の繰出ローラが対向する位置に切欠を形成しており、第１のプッシャプレート１２と第２のプッシャプレート１３との間の紙幣収納空間に収納されている紙幣がこの繰出ローラに当接する構成である。したがって、受けプレート１１と第１のプッシャプレート１２との間の紙幣収納空間、および第１のプッシャプレート１２と第２のプッシャプレート１３との間の紙幣収納空間に収納されている紙幣については、分離繰出機構３の繰出ローラにより１枚ずつ繰り出すことができる。さらに、第３のプッシャプレート１４は、分離繰出／スタック機構５の繰出ローラが対向する位置に切欠を形成しており、第２のプッシャプレート１３と第３のプッシャプレート１４との間の紙幣収納空間に収納されている紙幣がこの繰出ローラに当接する構成である。したがって、第２のプッシャプレート１３と第３のプッシャプレート１４との間の紙幣収納空間に収納されている紙幣については、分離繰出／スタック機構５の繰出ローラにより１枚ずつ繰り出すことができる。
【００３４】
また、図１に示す６は紙幣の真偽や金種を鑑別することで、受入可能紙幣であるかどうかを鑑別する鑑別部であり、７ａ〜７ｃは金種毎に設けた紙幣カートリッジであり、８は取り忘れ紙幣等を回収する回収カートリッジである。受入可能紙幣とは、真券であり、且つ紙幣処理装置１で取り扱っている金種の紙幣である。例えば、真券であると鑑別されても、取り扱っていない金種の紙幣であれば受入可能紙幣でないと鑑別する。受けプレート１１と第１のプッシャプレート１２との間の紙幣収納空間（この発明で言う第１の紙幣収納空間）は、入金取引時における紙幣の投入空間として使用される。第１のプッシャプレート１２と第２のプッシャプレート１３との間の紙幣収納空間（この発明で言う第２の紙幣収納空間）は、入金取引時におけるリジェクト紙幣（鑑別部６で受入可能紙幣でないと鑑別された紙幣）の収納空間として使用される。さらに、第２のプッシャプレート１３と第３のプッシャプレート１４との間の紙幣収納空間（この発明で言う第３の紙幣収納空間）は、入金取引時に受入紙幣（鑑別部６で受入可能紙幣であると鑑別された紙幣）を一時的に保留する一時保留空間、および出金取引時に出金紙幣（紙幣カートリッジ７ａ〜７ｃから繰り出した紙幣）を収納する収納空間として使用される。第１〜第３のプッシャプレート１２〜１４を移動し、これらのプッシャプレート１２〜１４の位置を調整することで、これらの紙幣収納空間のサイズ（対向する２枚のプレート間の距離）や、位置を調整することができる。
【００３５】
紙幣処理装置１には、受けプレート１１と第１のプッシャプレート１２との間の紙幣収納空間から繰り出した紙幣を鑑別部６を経由して、第１のプッシャプレート１２と第２のプッシャプレート１３との間の紙幣収納空間、または第２のプッシャプレート１３と第３のプッシャプレート１４との間の紙幣収納空間に搬送したり、第２のプッシャプレート１３と第３のプッシャプレート１４との間の紙幣収納空間から繰り出した紙幣を鑑別部６を経由して紙幣カートリッジ７ａ〜７ｃや回収カートリッジ８に搬送したり、さらには紙幣カートリッジ７ａ〜７ｃから繰り出した紙幣を鑑別部６経由して第２のプッシャプレート１３と第３のプッシャプレート１４との間の紙幣収納空間に搬送する紙幣搬送路が形成されている。この紙幣搬送路には、搬送している紙幣の送り先に応じて、紙幣の搬送経路を切り替えるフラッパが設けられている。この紙幣搬送路の構成については、公知であるのでここでは説明を省略する。
【００３６】
図２は、受けプレート、および第１〜第３のプッシャプレートの取り付け状態を示す概略図である。図２は、第１〜第３のプッシャプレートが初期位置にあるときを示している。受けプレート１１は、一方の端部が入出金口２の下端の辺に沿うように立設している。この受けプレート１１は、上述したように固定されており、移動しない。第１のプッシャプレート１２は、受けプレート１１に当接する位置と一方の端部が略入出金口２の上端の辺に沿う位置との間で移動自在に取り付けられている。第１のプッシャプレート１２は、第１のアクチュエータ２１により、受けプレート１１に対して接離する方向に移動される。受けプレート１１と第１のプッシャプレート１２との間の紙幣収納空間の幅は、第１のプッシャプレート１２が初期位置にあるときが最大であり、入出金口２の幅と略同じである。反対に、第１のプッシャプレート１２が受けプレート１１に当接する位置にあるときが最小であり、その幅が略０である。第１のプッシャプレート１２が初期位置にあるとき、受けプレート１１と第１のプッシャプレート１２との間の紙幣収納空間が入出金口２に対向している。
【００３７】
第２のプッシャプレート１３は、第１のバネ２２を介して駆動プレート２３に連結されている。駆動プレート２３は、第２のアクチュエータ２４により上下方向（受けプレート１１に対して接離する方向）に移動される。第２のプッシャプレート１３は、この駆動プレート２３を第１のプッシャプレート１２側に移動させることにより、第１のプッシャプレート１２側に移動できる。第２のプッシャプレート１３は第１のプッシャプレート１２に当接する位置より下方に移動することはない。第１のプッシャプレート１２が受けプレート１１に当接する位置にあり、且つ第２のプッシャプレート１３が初期位置にあるとき、第１のプッシャプレート１２と第２のプッシャプレート１３との間の紙幣収納空間が入出金口２に対向している。
【００３８】
さらに、第３のプッシャプレート１４は、第２のバネ２５により第２のプッシャプレート１３から離れる方向に付勢されている。第３のプッシャプレート１４は、長穴２６ａを形成した連結プレート２６により第２のプッシャプレート１３に連結している。具体的には、図２に示すように、第３のプッシャプレート１４の側面に連結プレート２６を取り付け、第２のプッシャプレート１３の側面に設けた凸部２７を連結プレート２６の長穴に挿入することで、第２のプッシャプレート１３と第３のプッシャプレート１４とを連結している。第３のプッシャプレート１４は図２に示す位置が最も上方に移動している状態であり、この状態であるとき図示していないストッパに当接しており、これより上方に移動することはない。このとき、凸部２７は長穴２６ａの下側の端部に当接している。
【００３９】
第２のプッシャプレート１３は、図示していないストッパに当接して停止している第３のプッシャプレート１４に当接する位置まで上方に移動できる。また、第２のプッシャプレート１３の側面に設けた凸部２７が連結プレート２６の長穴２６ａの下端に当接している状態において、さらに第２のアクチュエータ２４により駆動プレート２３を下方に移動すると、第２のプッシャプレート１３の下方への移動にともなって、第３のプッシャプレート１４が下方に移動する。第１のプッシャプレート１２が受けプレート１１に当接する位置にあり、且つ第２のプッシャプレート１３が第１のプッシャプレート１２に当接する位置にあるとき、第３のプッシャプレート１４の位置は一方の端部が入出金口２の上端の辺に沿う位置である。このとき、第２のプッシャプレート１３と第３のプッシャプレート１４との間の紙幣収納空間が入出金口２に対向している。
【００４０】
このように、第１のアクチュエータ２１、および第２のアクチュエータ２４の２つの駆動部により、第１〜第３のプッシャプレート１２〜１４を移動し、これらのプッシャプレート１２〜１４の位置を調整することで、３つの紙幣収納空間のいずれかを入出金口２に対向させることができる。
【００４１】
以下、この実施形態の紙幣処理装置１における入金取引時の動作、および出金取引時の動作について説明する。まず、入金取引時の動作について説明する。
【００４２】
なお、紙幣処理装置１における通帳やカードに対する処理については公知であるので、ここでは説明を省略する。
【００４３】
図３、４は、この実施形態の紙幣処理装置における入金取引時の処理を示すフローチャートである。紙幣処理装置１は、入金取引が選択されると、この処理を開始する。紙幣処理装置１は、第１〜第３のプッシャプレート１２〜１４を初期位置に移動する（ｓ１）。上述したように、第１〜第３のプッシャプレート１２〜１４が初期位置にあるとき、受けプレート１１と第１のプッシャプレート１２との間の紙幣収納空間（以下、紙幣投入空間と言う。）が入出金口２に対向している。紙幣処理装置１は、シャッタ２ａを開し（ｓ２）、紙幣投入空間に紙幣が投入されるのを待つ（ｓ３）。紙幣処理装置１は、紙幣投入空間に紙幣が投入されると、シャッタ２ａを閉し（ｓ４）、第１のプッシャプレート１２を受けプレート１１側に移動し、紙幣投入空間に投入された紙幣を分離繰出機構３の繰出ローラに押圧する（ｓ５）（図５参照）。このように、紙幣投入空間に投入されている紙幣を第１のプッシャプレート１２で分離繰出機構３の繰出ローラに適当な押圧力で押圧することができる。
【００４４】
紙幣処理装置１は、分離繰出機構３の繰出ローラを回転させて、紙幣投入空間に投入されている紙幣を１枚ずつ繰り出し（ｓ６）、繰り出した紙幣を鑑別部６に搬送する。そして、鑑別部６で、受入可能紙幣であるかどうかの鑑別を行う（ｓ７）。紙幣処理装置１は、鑑別部６において受入可能紙幣であると鑑別した紙幣を第２のプッシャプレート１３と第３のプッシャプレート１４との間の紙幣収納空間（以下、一時保留空間と言う。）に搬送し、収納する（ｓ８、ｓ９）。反対に、鑑別部６で受入可能紙幣でないと鑑別された紙幣（リジェクト紙幣）については、第１のプッシャプレート１２と第２のプッシャ１３との間の紙幣収納空間（以下、リジェクト紙幣収納空間と言う。）に搬送し、収納する（ｓ８、ｓ１０）。紙幣処理装置１は、ｓ６〜ｓ９の処理を、紙幣投入空間に投入された全ての紙幣について繰り返し行う（ｓ１１）。言い換えれば、紙幣処理装置１は紙幣投入空間に投入された全ての紙幣について鑑別を行う。このとき、第２のプッシャプレート１３と第３のプッシャプレート１４とは初期位置にあるので、分離繰出／スタック機構５の送りローラにより一時保留空間内に送られた紙幣（受入紙幣）は第２のプッシャプレート１３の上面に積み重なる。また、第１のプッシャプレート１２は紙幣投入空間に投入された紙幣を繰り出すために受けプレート１１側に移動しているので、スタック機構４の送りローラによりリジェクト紙幣収納空間内に送られた紙幣（リジェクト紙幣）は第１のプッシャプレート１２の上面に積み重なる。
【００４５】
紙幣処理装置１は、紙幣投入空間に投入された全ての紙幣について鑑別を完了し、この鑑別結果に基づいて一時保留空間、またはリジェクト紙幣収納空間に収納すると、リジェクト紙幣収納空間にリジェクト紙幣が収納されているかどうかを判定し（ｓ１２）、リジェクト紙幣収納空間にリジェクト紙幣が収納されていればシャッタ２ａを開する（ｓ１３）。このとき、第１のプッシャプレート１２は受けプレート１１に当接しており、その一方の端部が略入出金口２の下端の辺に沿う位置にあり、また第２のプッシャプレート１３は一方の端部が略入出金口２の上端の辺に沿う位置にある（図６参照）。したがって、ｓ１２でシャッタ２ａが開されたことにより、利用者は入出金口２に対向しているリジェクト紙幣収納空間に収納されている紙幣を取り出すことができる。言い換えれば、紙幣処理装置１は、シャッタ２ａを開することにより、リジェクト紙幣を利用者に返却することができる。
【００４６】
紙幣処理装置１は、リジェクト紙幣収納空間に収納しているリジェクト紙幣が利用者により取り出されると（ｓ１４）、シャッタ２ａを閉する（ｓ１５）。紙幣処理装置１は、ｓ１１でリジェクト紙幣収納空間にリジェクト紙幣が収納されていないと判定した場合、またはｓ１５でシャッタ２ａを閉すると、投入金額の確認、追加投入の要求、または入金取引の中止の要求のいずれかにかかる入力が行われるのを待つ（ｓ１６〜ｓ１８）。紙幣処理装置１は、紙幣の追加投入にかかる入力が行われると、第１のプッシャプレート１２を初期位置に戻し（ｓ１９）、ｓ２に戻って上記処理を繰り返す。このとき、第２のプッシャプレート１３、および第３のプッシャプレート１４も初期位置にある。
【００４７】
また、紙幣処理装置１は、投入金額の確認にかかる入力が行われると、第２のプッシャプレート１３を第３のプッシャプレート１４側に移動し、一時保留空間に収納されている受入紙幣を繰出／送りローラ５に押圧する（ｓ２０）（図７参照）。このように、一時保留空間に収納されている紙幣を第２のプッシャプレート１２で分離繰出／スタック機構５の繰出ローラに適当な押圧力で押圧することができる。紙幣処理装置１は、分離繰出／スタック機構５の繰出ローラを回転させて、一時保留空間に収納している受入紙幣を１枚ずつ繰り出し（ｓ２１）、繰り出した紙幣を鑑別部６に搬送し、再度受入可能紙幣であるかどうかの鑑別を行う（ｓ２２）。紙幣処理装置１は、鑑別部６における再鑑別で受入可能紙幣であると鑑別した紙幣については、その金種に応じた紙幣カートリッジ７ａ〜７ｃへ搬送し、収納する（ｓ２３、ｓ２４）。また、この紙幣の再鑑別で受入可能紙幣でないと鑑別された紙幣については、回収カートリッジ８へ搬送し、収納する（ｓ２３、ｓ２５）。紙幣処理装置１は、一時保留空間に収納している全ての受入紙幣を紙幣カートリッジ７ａ〜７ｃまたは回収カートリッジ８に収納するまで、ｓ２１〜ｓ２５の処理を繰り返す（ｓ２６）。紙幣処理装置１は、、一時保留空間に収納している全ての受入紙幣を紙幣カートリッジ７ａ〜７ｃまたは回収カートリッジ８に収納すると、今回の入金金額に応じた入金処理を行い（ｓ２７）、本処理を終了する。
【００４８】
また、紙幣処理装置１は、入金取引の中止にかかる入力があると、第２のアクチュエータ２４により第２のプッシャプレート１３を受けプレート１１に移動する（ｓ２８）。このとき、第１のプッシャプレート１２は受けプレート１１に当接している。したがって、第２のプッシャプレート１３は、受けプレート１１に当接している第１のプッシャプレートに当接する位置まで移動させることができる。紙幣処理装置１は、第２のプッシャプレート１３を受けプレート１１に当接している第１のプッシャプレート１２に当接する位置まで移動する。これにより、この第２のプッシャプレート１３に連結プレート２６で連結されている第３のプッシャプレート１４は、その一方の端部が略入出金口２の上端の辺に沿う位置に移動し（図８参照）、一時保留空間が入出金口２に対向する。その後、紙幣処理装置１は、シャッタ２ａを開し（ｓ２９）、一時保留空間に収納されている紙幣が利用者により取り出されると（ｓ３０）、シャッタ２ａを閉し（ｓ３１）、本処理を終了する。この場合には、入金処理は行われない。
【００４９】
また、紙幣処理装置１は、この入金取引後に、紙幣投入空間、リジェクト紙幣収納空間、または一時保留空間のいずれかに、利用者が取り忘れた紙幣が残っていると、その紙幣を繰り出して回収カートリッジ８に収納する。紙幣投入空間に収納されている紙幣は、図５に示したように第１のプッシャプレート１２で分離繰出機構３の繰出ローラに押圧し、繰り出す。また、一時保留空間に収納されている紙幣は、図７に示したように第２のプッシャプレート１３で分離繰出／スタック機構５の繰出ローラに押圧し、繰り出す。さらに、リジェクト紙幣収納空間に収納されている紙幣は、図９に示すように、第１のアクチュエータ２１により第１のプッシャプレート１２を受けプレート１１に当接する位置まで移動し、さらに第２のアクチュエータ２４により第２のプッシャプレート１３を受けプレート１１に当接している第１のプッシャプレートに当接する位置まで移動させることで、分離繰出機構３の繰出ローラに押圧し、繰り出す。
【００５０】
なお、第１のプッシャプレート１２、および第２のプッシャプレート１３は、上述したように分離繰出機構３の繰出ローラに対向する位置に切欠を形成しており、リジェクト紙幣収納空間に収納されている紙幣を分離繰出機構３の繰出ローラに押圧することができる。
【００５１】
このように、この実施形態の紙幣処理装置１は、受けプレート１１と第１〜第３のプッシャプレート１２〜１４との４枚のプレートで分割した３つの空間のいずれかを、入出金口２に対向させることができる。具体的に言うと、紙幣の投入時には受けプレート１１と第１のプッシャプレート１２とで区切られた紙幣投入空間を入出金口２に対向させ、またリジェクト紙幣の返却時には第１のプッシャプレート１２と第２のプッシャプレート１３とで区切られたリジェクト紙幣収納空間を入出金口２に対向させ、さらに入金取引が途中で中止されたときには、受入紙幣を収納している第２のプッシャプレート１３と第３のプッシャプレート１４とで区切られた一時保留空間を入出金口２に対向させることができる。したがって、入金紙幣の投入、リジェクト紙幣の返却、入金取引が途中で中止されたときの受入紙幣の返却が、第１〜第３のプッシャプレート１２〜１４の移動により行え、装置本体を小型にできる。また、２つのアクチュエータ（第１のアクチュエータ２１、第２のアクチュエータ２４）で３枚のプッシャプレート（第１〜第３のプッシャプレート１２〜１４）を移動する構成であるので、装置本体を一層小型にできるとともに、装置本体のコストアップも十分に抑えられ、安価にできる。
【００５２】
次に、出金取引時の動作について説明する。図１０は、この実施形態の紙幣処理装置における出金取引時の処理を示すフローチャートである。紙幣処理装置１は、出金取引が選択されると、この処理を開始する。紙幣処理装置１は、第１〜第３のプッシャプレート１２〜１４を初期位置に移動し（ｓ４１）、出金金額の入力を受け付ける（ｓ４２）。紙幣処理装置１は、入力された出金金額に基づいて、金種毎に紙幣の放出枚数を決定する（ｓ４３）。紙幣処理装置１は、紙幣カートリッジ７ａ〜７ｃから金種毎にｓ４３で決定した放出枚数の紙幣を繰り出し、鑑別部６に搬送する。鑑別部６において、受入可能紙幣であるかどうの鑑別を行う（ｓ４５）。紙幣処理装置１は、ｓ４５で受入可能紙幣であると鑑別された紙幣を一時保留空間に搬送し、収納する（ｓ４６、ｓ４７）。反対に受入可能紙幣でないと鑑別された紙幣については、回収カートリッジ８に搬送し、収納する（ｓ４６、ｓ４８）。
【００５３】
紙幣処理装置１は、ｓ４２で入力された出金金額に相当する紙幣を、一時保留空間に収納すると、第１のアクチュエータ２１により第１のプッシャプレート１２を受けプレート１に当接する位置まで移動する（ｓ５０）。さらに、紙幣処理装置１は、第２のアクチュエータ２４により第２のプッシャプレート１３を受けプレート１１に当接している第１のプッシャプレート１２に当接する位置まで移動する（ｓ５１）。これにより、図８に示したように、入出金口２には、一時保留空間が対向する。紙幣処理装置１は、この状態でシャッタ２ａを開し（ｓ５２）、一時保留空間に収納されている紙幣が利用者により取り出されると（ｓ５３）、シャッタ２ａを閉する（ｓ５４）。また、紙幣処理装置１は今回の出金取引における出金金額に応じた出金処理を行って（ｓ５５）、本処理を終了する。
【００５４】
なお、紙幣処理装置１は、利用者が取り忘れた紙幣が一時保留空間に残っていると、その紙幣を繰り出して回収カートリッジ８に収納する。
【００５５】
このように、出金取引においても何らの問題もなく、出金紙幣を一時保留部に収納し、利用者に出金することができる。
【図面の簡単な説明】
【００５６】
【図１】この発明の実施形態である紙幣処理装置の主要部の構成を示す図である。
【図２】受けプレート、および第１〜第３のプッシャプレートの取り付けを示す概略図である。
【図３】この実施形態の紙幣処理装置における入金取引時の処理を示すフローチャートである。
【図４】この実施形態の紙幣処理装置における入金取引時の処理を示すフローチャートである。
【図５】受けプレート、および第１〜第３のプッシャプレートの位置を示す図である。
【図６】受けプレート、および第１〜第３のプッシャプレートの位置を示す図である。
【図７】受けプレート、および第１〜第３のプッシャプレートの位置を示す図である。
【図８】受けプレート、および第１〜第３のプッシャプレートの位置を示す図である。
【図９】受けプレート、および第１〜第３のプッシャプレートの位置を示す図である。
【図１０】この実施形態の紙幣処理装置における出金取引時の処理を示すフローチャートである。
【符号の説明】
【００５７】
１−紙幣処理装置
２−入出金口
２ａ−シャッタ
１１−受けプレート
１２−第１のプレート
１３−第２のプレート
１４−第３のプレート
２１−第１のアクチュエータ
２３−駆動プレート
２４−第２のアクチュエータ
２６−連結プレート
２６ａ−長穴
２７−凸部
【図１】
2005352912.tif 000003
【図２】
2005352912.tif 000004
【図３】
2005352912.tif 000005
【図４】
2005352912.tif 000006
【図５】
2005352912.tif 000007
【図６】
2005352912.tif 000008
【図７】
2005352912.tif 000009
【図８】
2005352912.tif 000010
【図９】
2005352912.tif 000011
【図１０】
2005352912.tif 000012